(57)【要約】【課題】  高品質な映像信号、音声信号、制御信号を光ファイバーで伝送するための低コストな光信号伝送装置を提供する。【解決手段】  映像信号を伝送する第１の光ファイバー２００と、映像信号以外の信号を伝送する第２の光ファイバー２１０とを具備する。伝送帯域に応じた低コストな光ファイバーを選択することができるため、装置全体のコストを低減することができる。入力した電気映像信号が光信号に変換されて第１の光ファイバー２００を介して伝送され、入力した映像信号以外の、例えば、音声信号が光信号に変換され第２の光ファイバー２１０を介して伝送される。第１の光ファイバー２００としてグレイデッドインデックス型プラスチック光ファイバー（ＧＩ−ＰＯＦ）、第２の光ファイバー２１０としてステップインデックス型プラスチック光ファイバー（ＳＩ−ＰＯＦ）を組み合わせて使用することができる。【選択図】        図３
2005065034.tif 000002
【特許請求の範囲】
【請求項１】
映像信号と音声信号と制御信号とを伝送する光信号伝送装置であって、
入力した少なくとも映像情報を含む電気信号を光信号に変換して出力する少なくとも１つの第１の電気―光変換手段と、
入力した少なくとも映像信号を含まない電気信号を光信号に変換して出力する少なくとも１つの第２の電気―光変換手段と、
前記第１の電気―光変換手段より出力された光信号を入力して少なくとも映像情報を含む電気信号に変換して出力する少なくとも１つの第１の光―電気変換手段と、
前記第２の電気―光変換手段より出力された光信号を入力して少なくとも映像信号を含まない電気信号に変換して出力する少なくとも１つの第２の光―電気変換手段と、
前記第１の電気―光変換手段と前記第１の光―電気変換手段との間に配置されて光信号の伝送される第１の光ファイバーと、
前記第２の電気―光変換手段と前記第２の光―電気変換手段との間に配置されて光信号の伝送される第２の光ファイバーと、を具備することを特徴とした光信号伝送装置。
【請求項２】
前記第１の光ファイバーと第２の光ファイバーとが異なる種類の光ファイバーである、ことを特徴とした請求項１に記載の光信号伝送装置。
【請求項３】
前記第１の光ファイバーがグレイデッドインデックス型光ファイバー、前記第２の光ファイバーがステップインデックス型光ファイバーである、ことを特徴とした請求項１または請求項２に記載の光信号伝送装置。
【請求項４】
前記第１および／または前記第２の光ファイバーがプラスチック光ファイバーである、ことを特徴とした請求項１乃至請求項３の何れか１項に記載の光信号伝送装置。
【請求項５】
前記第１の光ファイバーで伝送される信号が、複数の映像信号をシリアル信号にパラレルシリアル変換したシリアルデジタルである、ことを特徴とした請求項１乃至請求項４の何れか１項に記載の光信号伝送装置。
【請求項６】
前記第１の光ファイバーが、複数の映像信号に対応した複数の光ファイバーである、ことを特徴とした請求項１乃至請求項４の何れか１項に記載の光信号伝送装置。
【発明の詳細な説明】
【技術分野】
【０００１】
本発明は、光信号伝送装置に関し、とくに映像信号や音声信号を電気から光に変換して送信し、光ファイバーを介して伝送した後、光から電気に変換して受信する光信号伝送装置に関する。
【背景技術】
【０００２】
従来より、映像信号と音声信号をともに光ファイバーによって伝送する光信号伝送装置が知られている。この発明では、複数の映像信号を一つにまとめたシリアルデジタル信号である映像信号から生成される第１の光信号と、複数の音声信号から生成される第２の光信号とを波長多重して光合波手段を介して光ファイバーへ送出している。このような伝送装置は一般に数ｋｍ以上の長距離に使用されるものである（特許文献１参照）。
【０００３】
また、映像信号を複数の光ファイバーで送出し、デイスプレイ機器との制御信号を電気で送出するよう光電気複合ケーブルを使用した光伝送装置も知られている。
【０００４】
また4チャンネルのＤＶＩ，５チャンネルのＬＶＤＳ規格に応じた光伝送装置も提案されている。この発明ではチャンネル数に応じた複数の光ファイバーを設けて信号を伝送するものである（特許文献２参照）。
【０００５】
また、近年、高精細な放送、記録機器の開発普及に伴い、高品質なデジタルビデオ信号の伝送に対する要求が、オフィスや個人用にも急速に高まってきた。このような用途では、例えばチューナとデイスプレイ間では映像信号、音声信号、制御信号の伝送が必要である。このように少なくとも映像信号の伝送では光伝送は必須なものと考えられている。
【０００６】
また、光ファイバーの素材としてガラスではなく、プラスチックの光ファイバー（Ｐｌａｓｔｉｃ  Ｏｐｔｉｃａｌ  Ｆｉｂｅｒ、以下「ＰＯＦ」）が、オフィスや住宅、マンション内の配線を用途として開発されている。
【０００７】
ガラス光ファイバーは住宅内の配線作業において折れた場合や、剥き出しになった個所では危険であるが、ＰＯＦはこのような問題がないという利点がある。
【０００８】
なお、光ファイバーは中心部のコアと外周部のクラッドとからなり、コアからクラッドへ屈折率が段階的に変化するステップインデックス（Ｓｔｅｐ  Ｉｎｄｅｘ）型光ファイバーと、前記屈折率が序々に変化するグレイデッドインデックス（Ｇｒａｄｅｄ  Ｉｎｄｅｘ）型光ファイバーとがある。
【０００９】
プラスチック光ファイバーでは、一般に前者をＳＩ−ＰＯＦ、後者をＧＩ−ＰＯＦと略称し、製造コストを反映して、前者は比較的安価、後者は比較的高価である。
【００１０】
さらに、近年、高精細な放送、記録機器の開発普及に伴い、高品質なデジタルビデオ信号の伝送に対する要求が、オフィスや個人用にも急速に高まってきた。例えばチューナとデイスプレイ間では映像信号、音声信号、制御信号の伝送が必要である。（例えば、ＤＶＩ、ＨＤＭＩおよびＶＥＳＡのＤＤＣの規格では次のようなものである。
【００１１】
ＤＶＩ規格では、映像信号のＢｌｕｅ、ＨＳＹＮＣ、ＶＳＹＮＣ信号を、次にＧｒｅｅｎ、ＣＴＬ０、ＣＴＬ１信号を、そして、Ｒｅｄ、ＣＴＬ２、ＣＴＬ３信号をそれぞれ、エンコーダ／シリアライザにより、Ｃｈａｎｎｅｌ０、Ｃｈａｎｎｅｌ１、そして、Ｃｈａｎｎｅｌ２という３本の映像信号線とこれらの信号線と並行してＣｌｏｃｋおよびＤＤＣ信号を伝送する。
【００１２】
また、ＨＤＭＩ規格では映像信号のＢｌｕｅ、ＨＳＹＮＣ、ＶＳＹＮＣ、Ａｕｘｉｌｉａｒｙ Ｄａｔａ信号を、次にＧｒｅｅｎ、ＣＴＬ０、ＣＴＬ１、Ａｕｄｉｏ Ｓａｍｐｌｅ、Ａｕｘｉｌｉａｒｙ Ｄａｔａ信号を、そして、Ｒｅｄ、ＣＴＬ２、ＣＴＬ３、Ａｕｄｉｏ Ｓａｍｐｌｅ、Ａｕｘｉｌｉａｒｙ Ｄａｔａ信号をそれぞれ、エンコーダ／シリアライザにより、Ｃｈａｎｎｅｌ０、Ｃｈａｎｎｅｌ１、そして、Ｃｈａｎｎｅｌ２という３本の映像信号線とこれらの信号線と並行してＣｌｏｃｋおよびＤＤＣ信号を伝送する。
【００１３】
このほかに、ＤＶＩの場合には音声信号線が別途必要となる。また、それぞれの規格に準拠しないユーザー固有の制御信号を並行して伝送する。
【００１４】
しかしながら、これらのシリアライズされた信号の伝送速度はテレビ放送程度の解像度であってもそれぞれ６００Ｍｂｐｓから１Ｇｂｐｓ程度の高帯域な信号となり、電気のケーブルで伝送できるのはたかだか１０ｍ程度が限界である。
【００１５】
一方、ＤＤＣ信号や音声信号および、ユーザー固有の制御信号はシリアライズしたとしても数１０Ｍｂｐｓである。
【００１６】
このように少なくとも映像信号の伝送では光伝送は必須なものと考えられている。
【特許文献１】特開平１０−３２７３９９号公報
【特許文献２】特開２００２−３６６３４０公報
【発明の開示】
【発明が解決しようとする課題】
【００１７】
しかしながら、上記高品質な映像信号、音声信号、制御信号が必要とされるデジタルビデオ信号の伝送に、従来の光伝送装置を使用した場合には下記のような問題がある。
【００１８】
映像信号、音声信号と制御信号とすべて上記のように合成して光伝送するには合成のための光学系が必要となるため高価になりやすいという問題がある。
【００１９】
またＤＶＩ規格に準拠した場合、映像信号と一部の制御信号だけを光電気複合ケーブルを使用した光伝送装置で伝送するものは、情報源として音声情報を伴わないセミナー等におけるプリゼンテーションには適するものの、高精細な放送、記録機器からの映像と音声情報に対応するには、音声信号の伝送に、あらためて別の伝送装置が必要となる。
【００２０】
音声信号およびＤＤＣ信号を電線で送ると、オフィスや住宅、マンション内程度の距離の配線であっても、音声信号やＤＤＣ信号が電線の抵抗による損失によってSN比が劣化しやすいという問題がある。
【００２１】
損失を防ぐためには太い導線を用いる必要があり、ケーブル価格が高価となるばかりか、ケーブルが硬くなり、曲げにくくなり、施工性が劣るようになる。
【００２２】
一方、同様に、ＨＤＭＩに準拠した場合、映像信号と音声信号と一部の制御信号だけを光電気複合ケーブルを使用した光伝送装置で伝送するものはＤＤＣ信号が電線の抵抗による損失によってSN比が劣化しやすいという問題がある。また、周囲環境の電磁ノイズの影響を受け易いという問題もある。また、安価な電線を用いると、伝搬遅延が起き易く、光信号と、電気信号の到着時間のずれを生じるという問題がある。
【００２３】
本発明は、上記問題を解決するものである。
【課題を解決するための手段】
【００２４】
請求項１に記載の発明は、映像信号と音声信号と制御信号とを伝送する光信号伝送装置であって、入力した少なくとも映像情報を含む電気信号を光信号に変換して出力する少なくとも１つの第１の電気―光変換手段と、入力した少なくとも映像信号を含まない電気信号を光信号に変換して出力する少なくとも１つの第２の電気―光変換手段と、前記第１の電気―光変換手段より出力された光信号を入力して少なくとも映像情報を含む電気信号に変換して出力する少なくとも１つの第１の光―電気変換手段と、前記第２の電気―光変換手段より出力された光信号を入力して少なくとも映像信号を含まない電気信号に変換して出力する少なくとも１つの第２の光―電気変換手段と、前記第１の電気―光変換手段と前記第１の光―電気変換手段との間に配置されて光信号の伝送される第１の光ファイバーと、前記第２の電気―光変換手段と前記第２の光―電気変換手段との間に配置されて光信号の伝送される第２の光ファイバーとを具備する、ことを特徴としている。
【００２５】
請求項１に記載の光信号伝送装置では、第１の電気―光変換手段と第１の光―電気変換手段との間に配置されて光信号の伝送される伝送媒体と、第２の電気―光変換手段と第２の光―電気変換手段との間に配置されて光信号の伝送される伝送媒体とが、ともに光ファイバーであるため、映像信号の光信号と映像信号以外の信号との光信号を合波するための高価な光学系が不要となる。
【００２６】
請求項２に記載の発明は、請求項１の光信号伝送装置において、前記第１の光ファイバーと第２の光ファイバーとが異なる種類の光ファイバーである、ことを特徴としている。
【００２７】
このように、異なる種類の光ファイバーで構成するため信号に要求される帯域に応じて適切な種類の光ファイバーを選択して組み合わせることによりコストパフォーマンスに優れた光信号伝送装置を実現することができる。
【００２８】
請求項３に記載の発明は、請求項１または請求項２に記載の光信号伝送装置において、第１の光ファイバーをグレイデッドインデックス型光ファイバー、第２の光ファイバーをステップインデックス型光ファイバーとして、信号の帯域に応じた光ファイバーを選択して組み合わせたものである。
【００２９】
このため、高帯域の映像信号を高品質に伝送でき、かつ高帯域を必要としない信号も光ファイバーで伝送するため距離による損失劣化が少ない。
【００３０】
請求項４に記載の発明は、請求項１乃至請求項３の何れか１項に記載の光信号伝送装置において、前記第１および／または前記第２の光ファイバーをプラスチック光ファイバーとした、ことを特徴としている。
【００３１】
このため低コストな光伝送装置を実現しやすい。
【００３２】
請求項５に記載の発明では、請求項１乃至請求項４の何れか１項に記載の光信号伝送装置において、複数の映像信号をシリアル信号にパラレルシリアル変換したシリアルデジタルとして１本の第１の光ファイバーで伝送する、ことを特徴とている。
【００３３】
このため伝送ケーブル部分は少なくとも２本の光ファイバーで構成されるため、曲げやすく、配線が容易となる。
【００３４】
請求項６に記載の発明は、請求項１乃至請求項４の何れか１項に記載の光信号伝送装置において、複数の映像信号に対応して複数の光ファイバーで伝送する、ことを特徴としている。
【００３５】
このため複数の映像信号をパラレルシリアル変換する必要がなく、低コストな光信号伝送装置を実現できる。
【発明の効果】
【００３６】
以上説明したように本発明の光信号伝送装置によれば、高品質な映像信号と音声信号および、ＤＤＣ信号を情報を劣化することなく伝送でき、かつ低コスト装置が実現できる、という優れた効果を有する。
【発明を実施するための最良の形態】
【００３７】
［第１の実施形態］
以下、図１、２、３を参照して本発明の第１の実施形態に係る光信号伝送装置を詳細に説明する。
【００３８】
図１にはＤＶＩに準拠した場合の信号の伝送形態をブロック図で示した。また、図２にはＨＤＭＩに準拠した場合の信号の伝送形態をブロック図で示した。図１および、図２において、ユーザー固有制御信号はそれぞれの規格に含まれない信号である。
【００３９】
本発明の光信号伝送装置の第１の実施形態を図３に示す。図３に示すように、本実施形態の光信号伝送装置３は、それぞれの信号の入力端子部１００Ａ，Ｂ、それぞれの信号の出力端子部１０８Ａ，Ｂ、受信部１２０、１２１、それぞれの信号をシリアライズする時間軸多重回路６０、６１、時間軸多重された信号から元の信号を分離する時間軸分離回路７０、７１、送信部１１０，１１１、受信部１２０、１２１とを連結する第１の光ファイバー２００、及び第２の光ファイバー２１０からなる光ファイバーケーブルを備えている。
【００４０】
少なくとも映像情報を含む信号を伝送するＨＯＳＴ側１には、電気映像信号入力部１０に入力された映像信号、電気音声信号入力部４０に入力された音声信号、電気制御信号入力部２０，３０，５０に入力された制御信号などの信号を時間軸多重してシリアル信号とする時間軸多重回路６０を備えている。
【００４１】
時間軸多重回路６０には電気―光変換回路８０が接続されている。
【００４２】
少なくとも映像情報を含む信号伝送用の電気―光変換回路８０によって光信号に変換する第１の発光素子（図示せず）として、本実施形態では、ＶＣＳＥＬ（垂直共振型面発光レーザダイオード）が用いられている。
【００４３】
ＶＣＳＥＬとしては、例えば、特開２００３―１５２２８４号公報、特開平１１―１２１８６７号公報等に記載の技術を用いることが出来る。
【００４４】
本実施形態のＶＣＳＥＬは、中心波長が７８０ｎｍ帯のレーザ光を出射するものである。
【００４５】
少なくとも映像情報を含む信号を扱う受信部１２０側（モニター側２）では、第１の受光素子（図示せず）を含む光―電気変換回路９０を備えている。
【００４６】
光―電気変換回路９０により電気のシリアル信号に変換された少なくとも映像情報を含む信号は時間軸分離回路７０により、各々の元の信号種に分離され、出力端子部１０８Ａを介してモニター２に出力される。
【００４７】
少なくとも映像情報を含まない信号を扱う送信部１１１側では、少なくとも映像情報を含まない信号を各々時間軸多重してシリアル信号とする時間軸多重回路６１、及び時間軸多重されシリアル信号となった電気信号を光に変換する電気―光変換回路８１を備えている。
【００４８】
一方、少なくとも映像情報を含まない信号を扱う受信部１２１側では、第２の受光素子（図示せず）、光信号を電気信号に変換する光―電気変換回路９１、及び制御信号などの低速信号を元の信号種に分離する時間軸分離回路７１を備えている。
【００４９】
少なくとも映像情報を含まない信号伝送用の第２の発光素子として、本実施形態の第２の発光素子は、中心波長が６５０ｎｍ帯の光を出射する発光ダイオードである。
【００５０】
なお、元の信号種に分離された信号は出力端子部１０８Ｂを介してＨＯＳＴ１に出力される。
【００５１】
第１、及び第２の受光素子としては、本実施形態ではガリウムヒ素系のＰＩＮフォトダイオードを用いているが、高速なシリコン系、或は、ＭＳＭ（Ｍｅｔａｌ−Ｓｅｍｉｃｏｎｄｕｃｔｏｒ−Ｍｅｔａｌ）型フォトダイオード等の他の種類のフォトダイオードを用いることが出来るが、その他の素子であって良い。
（光ファイバーケーブルの詳細）
光ファイバーケーブルは、少なくとも映像信号を含む光信号を伝送するための第１の光ファイバー２００と、少なくとも映像信号を含まない光信号を伝送するための第２の光ファイバー２１０とを有し、これら第１の光ファイバー２００と第２の光ファイバー２１０は被覆層（図示せず）で被覆されている。
【００５２】
第１の光ファイバー２００は、一端が送信部１１０側の第１の発光素子（図示せず）に接続され、他端が受信部１２０側の第１の受光素子（図示せず）に接続されている。
【００５３】
一方、第２の光ファイバー２１０は、一端が送信部１１１側の第２の発光素子（図示せず）に接続され、他端が受信部１２１側の第２の受光素子（図示せず）に接続されている。
【００５４】
本実施形態では、第１の光ファイバー２００としてＧＩ−ＰＯＦ、具体的には富士写真フイルム株式会社製ルミスターＶが用いられ、第２の光ファイバー２１０としてＳＩ−ＰＯＦ、具体的には三菱レーヨン株式会社製エスカＳＨ−３００１が用いられている。
（作用）
次に、本実施形態の光信号伝送装置３の作用を説明する。
【００５５】
本実施形態の光信号伝送装置３では、例えば、ＨＯＳＴ１側の少なくとも電気映像信号入力部１０にコンピュータあるいはチューナーからの電気映像信号（本実施形態ではデジタル信号）、電気音声信号入力部４０にコンピュータからの電気制御信号入力部２０，３０，５０に制御信号が入力される。
【００５６】
入力した電気映像信号を含む信号は光信号に変換され、光信号は、第１の送信部１１０から出射され、第１の光ファイバー（ＧＩ−ＰＯＦ）２００を介して  受信部１２０へ伝送される。
【００５７】
一方、モニター２側では、電気制御信号入力部２２，５２に入力した電気制御信号（本実施形態ではデジタル信号）が時間軸多重回路６１によりシリアル信号に変換され、電気―光変換回路８１により光信号に変換される。
【００５８】
光信号は、第２の送信部１１１から出射され、第２の光ファイバー（ＳＩ−ＰＯＦ）２１０を介して  ＨＯＳＴ１側の受信部１２１へ伝送される。
【００５９】
また、モニター２側では、受信部１２０で受信した少なくとも映像信号を含む光信号が光―電気変換回路９０により電気信号に変換され、変換された電気信号が時間軸分離回路７０で元の信号種に分離されて電気映像信号が電気音声信号出力部４１、制御信号が電気制御信号出力部１１，２１，３１，５１より出力される。
【００６０】
なお、電気制御信号出力部１１，２１，３１，５１より出力された電気映像信号は、例えば、プラズマディスプレー等の画像表示機器の映像信号入力部に入力され、電気音声信号出力部４１より出力された電気音声信号はプラズマディスプレー等の画像表示機器（あるいはオーディオ機器）の音声信号入力部に入力される。
【００６１】
また、受信部１２１から入力された光信号は光―電気変換回路９１により電気信号に変換され、時間軸分離回路７１によってもとの制御信号に変換され、電気制御信号出力部２３，５３より出力される。
【００６２】
電気制御信号出力部２３，５３より出力された電気制御信号は、ＨＯＳＴ１側の、例えば、コンピュータ、チューナー等の機器の制御信号入力部に入力される。
【００６３】
本実施形態では、少なくとも映像情報を含む光信号、及び制御用の光信号が、それぞれ送信部１１０、１１１から受信部１２０、１２１へそれぞれプラスチックの第１の光ファイバー２００、及び第２の光ファイバー２１０を介して伝送されるので、電磁ノイズによる影響や信号損失によるＳＮ劣化の影響を受けず、画像表示機器においては映像と音声と制御信号が高品質に出力される。
【００６４】
なお、本実施形態では、第１の光ファイバー２００ではユーザー固有の制御信号を含む光信号を伝送し、第２の光ファイバー２１０ではユーザー固有の制御情報を含む光信号を伝送したが、本発明はこれに限らず、例えば、第１の光ファイバー２１０、または第２の光ファイバーに、ユーザー固有の制御信号を伝送しなくても良い。
【００６５】
また、ユーザー固有の制御信号を３種で図示したが、３種に限らず多くても少なくても良い。
【００６６】
さらにまた、ユーザー固有の制御信号を３種とも双方向通信データとしたが、ＨＯＳＴ１側からの片方向通信であっても良いし、モニター２側からの片方向通信であっても良く、それぞれの片方向通信と、双方向通信が混在したデータであっても良い。
【００６７】
なお、本実施形態の光信号伝送装置３によれば、例えば、２〜４Ｇｂｐｓの高解像度の光信号を第１の光ファイバー２００で３０ｍ〜５０ｍ伝送でき、数１０Ｍｂｐｓの光信号を第２の光ファイバー２１０で３０ｍ〜５０ｍ伝送できる。
［第２の実施形態］
次に、図４にしたがって、本発明の第２の実施形態に係る光信号伝送装置３を説明する。なお、第１の実施形態と同一構成には同一符号を付し、その説明は省略する。
【００６８】
図４に示すように、本実施形態の光信号伝送装置３では、映像情報を含む送信部１１０において映像信号用の電気―光変換回路８０が複数個（Ｅ／Ｏと表示。本実施形態では４個）が設けられ、受信部１２０において映像信号用の光―電気変換回路９０（Ｏ／Ｅと表記を同数。本実施形態では４個）設けられており、１つの映像信号に対して１つの光―電気変換回路９０が対応して両者が第１の光ファイバー２００で連結されている。
【００６９】
本実施形態では、４個ある電気―光変換回路８０のうちの１つの回路にＲＧＢ信号のうちの映像のＲ（レッド）信号、他の１つの回路にＧ（グリーン）信号、他の１つの回路にＢ（ブルー）信号、残りの１つの回路にクロック信号が入力される。
【００７０】
映像に関係する信号が４種類ある場合、本実施形態のように、第１の光ファイバー２００を４本用いて信号を伝送しても良い。
【００７１】
また、映像に関係する信号が２種類ある場合、図５に示すように、第１の光ファイバー２００を２本用いて信号を伝送しても良い。
【００７２】
なお、本発明はこれに限らず、映像に関係する信号の数に応じて、第１の光ファイバー２００、映像信号電気-光変換回路８０、映像信号光−電気変換回路９０の数を夫々増減しても良いのは勿論である。
［その他の実施形態］
上記実施形態では、第１の光ファイバー２００では映像情報を含む光信号を伝送し、第２の光ファイバー２１０では制御情報を含む光信号を伝送したが、本発明はこれに限らず、第１の光ファイバー２００、及び第２の光ファイバー２１０を取り除き、両方の光信号を空気中で直接伝送しても良い。この場合、送信側にレーザビームを平行にして遠方に到達させるためのレンズ系を設けることが好ましい。
【００７３】
また、上記実施形態では、第１の光ファイバー２００をＧＩ−ＰＯＦ、第２の光ファイバー２１０をＳＩ−ＰＯＦとしたが、第２の光ファイバー２１０をＧＩ−ＰＯＦとしても良い。
【００７４】
また、取り扱いの面からすると、プラスチック光ファイバーが好ましいが、第１の光ファイバー２００、及び第２の光ファイバー２１０をガラスの光ファイバーとしても良い。
【００７５】
また、映像信号と制御信号の到達時間にズレを生じさせないために、第１の光ファイバー２００の材質と第２の光ファイバー２１０の材質を同じにすることが好ましいが、屈折率を略同じに設定すれば、第１の光ファイバー２００の材質と第２の光ファイバー２１０の材質を異ならせることが出来る。
【００７６】
また、第１の光ファイバー２００の材質の屈折率と、第２の光ファイバー２１０の材質の屈折率とを同一に設定することが好ましいが、信号の伝送距離にもよるが、画像と制御信号とのズレが許容できる範囲内であれば、第１の光ファイバー２００の材質の屈折率と、第２の光ファイバー２１０の材質の屈折率が多少異なっていても良い。
【００７７】
上記実施形態では、光信号伝送装置３に入出力する映像電気信号、及び音声電気信号がデジタル信号であったが、送信部にシリアルインターフェース、及びＡ／Dコンバーターを設け、受信部にシリアルインターフェース、及びＤ／Ａコンバーターを設ければ、アナログの映像電気信号、及び音声電気信号を扱うことも出来る。
【図面の簡単な説明】
【００７８】
【図１】ＤＶＩ規格に準じた映像と制御信号の伝送回路ブロック図である。
【図２】ＨＤＭＩ規格に準じた映像と制御信号の伝送回路ブロック図である。
【図３】第１の実施形態に係る光信号伝送装置を示す構成図である。
【図４】第２の実施形態に係る光信号伝送装置の構成図である。
【図５】第２の実施形態の変形例に係る光信号伝送装置の構成図である。
【符号の説明】
【００７９】
３            光信号伝送装置
６０、６１    時間軸多重回路
７０、７１    時間軸分離回路
８０、８１    電気―光変換回路
９０、９１    光―電気変換回路
２００        第１の光ファイバー（伝送媒体）
２１０        第２の光ファイバー（伝送媒体）
【図１】
2005065034.tif 000003
【図２】
2005065034.tif 000004
【図３】
2005065034.tif 000005
【図４】
2005065034.tif 000006
【図５】
2005065034.tif 000007